(57)【要約】      （修正有）【課題】印刷動作を最適化することができる画像形成装置を提供する。【解決手段】画像形成装置において、画像データを記憶するメモリ手段と、記憶された複数の画像データを順番に出力する出力手段と、出力された画像データを印刷する印刷手段と、それぞれ格納された用紙の紙種を検出する紙種検出手段を有する複数の給紙手段と、前記給紙手段より検出された紙種毎に定着温度を変更する制御を有する定着制御手段と、前記給紙手段の中から任意の給紙手段を選択する給紙選択手段と、前記給紙選択手段を用いて紙種ごとに出力する枚数を設定出来る操作手段と、前記画像データをメモリ残量がある限り連続して記憶するとともに、前記メモリ手段に一定量の画像データが記憶されない限り、出力動作を開始しない制御を行なう制御手段を備え、一定量の画像データを別に定めるモードより、複数種類の画像データ群として区別して記憶することができるようにした。【選択図】図１
2007083699.tif 000002
【特許請求の範囲】
【請求項１】
プリンタコントローラを介して通知された画像データを一時的にメモリに記憶し、このメモリに記憶された画像データに基づく画像を印字出力部に出力する画像形成装置において、
画像データを記憶するメモリ手段と、
記憶された複数の画像データを順番に出力する出力手段と、
出力された画像データを印刷する印刷手段と、
それぞれ格納された用紙の紙種を検出する紙種検出手段を有する複数の給紙手段と、
前記給紙手段より検出された紙種毎に定着温度を変更する制御を有する定着制御手段と、
前記給紙手段の中から任意の給紙手段を選択する給紙選択手段と、
前記給紙選択手段を用いて紙種ごとに出力する枚数を設定することの出来る操作手段と、
前記画像データをメモリ残量がある限り連続して記憶するとともに、前記メモリ手段に一定量の画像データが記憶されない限り、出力動作を開始しない制御を行なう制御手段を備え、
一定量の画像データを別に定めるモードより、複数種類の画像データ群として区別して記憶することができることを特徴とする画像形成装置。
【請求項２】
プリンタコントローラを介して通知された画像データを一時的にメモリに記憶し、このメモリに記憶された画像データに基づく画像を印字出力部に出力する画像形成装置において、
画像データを記憶するメモリ手段と、
記憶された複数の画像データを順番に出力する出力手段と、
出力された画像データを印刷する印刷手段と、
それぞれ格納された用紙の紙種を検出する紙種検出手段を有する複数の給紙手段と、
前記給紙手段より検出された紙種毎に定着温度を変更する制御を有する定着制御手段と、
前記給紙手段の中から任意の給紙手段を選択する給紙選択手段と、
前記給紙選択手段を用いて紙種ごとに出力する枚数を設定することの出来る操作手段と、
前記画像データをメモリ残量がある限り連続して記憶するとともに、前記メモリ手段に一定量の画像データが記憶され、かつ、前回の出力時から所定時間を経過した時点で出力動作を開始する制御を行なう制御手段を備え、
一定量の画像データを別に定めるモードより、複数種類の画像データ群として区別して記憶することができることを特徴とする画像形成装置。
【請求項３】
プリンタコントローラを介して通知された画像データを一時的にメモリに記憶し、このメモリに記憶された画像データに基づく画像を印字出力部に出力する画像形成装置において、
画像データを記憶するメモリ手段と、
記憶された複数の画像データを順番に出力する出力手段と、
出力された画像データを印刷する印刷手段と、
それぞれ格納された用紙の紙種を検出する紙種検出手段を有する複数の給紙手段と、
前記給紙手段より検出された紙種毎に定着温度を変更する制御を有する定着制御手段と、
前記給紙手段の中から任意の給紙手段を選択する給紙選択手段と、
前記給紙選択手段を用いて紙種ごとに出力する枚数を設定することの出来る操作手段と、
前記画像データをメモリ残量がある限り連続して記憶するとともに、前記メモリ手段に一定量の画像データが記憶され、かつ、指定した時刻に出力動作を開始する制御を行なう制御手段を備え、
一定量の画像データを別に定めるモードより、複数種類の画像データ群として区別して記憶することができることを特徴とする画像形成装置。
【請求項４】
前記モードとはカラーモード別であることを特徴とする請求項１または請求項２または請求項３記載の画像形成装置。
【請求項５】
前記モードとは解像度別であることを特徴とする請求項１または請求項２または請求項３記載の画像形成装置。
【請求項６】
前記モードとは紙種毎の定着温度別であることを特徴とする請求項１または請求項２または請求項３記載の画像形成装置。
【請求項７】
前記モードとは本体に接続されているオプションユニットの使用の有無別であることを特徴とする請求項１または請求項２または請求項３記載の画像形成装置。
【請求項８】
プリンタコントローラを介して通知された画像データを一時的にメモリに記憶し、このメモリに記憶された画像データに基づく画像を印字出力部に出力する画像形成装置において、
画像データを記憶するメモリ手段と、
記憶された複数の画像データを順番に出力する出力手段と、
出力された画像データを印刷する印刷手段と、
それぞれ格納された用紙の紙種を検出する紙種検出手段を有する複数の給紙手段と、
前記給紙手段より検出された紙種毎に定着温度を変更する制御を有する定着制御手段と、
前記給紙手段の中から任意の給紙手段を選択する給紙選択手段と、
前記給紙選択手段を用いて紙種ごとに出力する枚数を設定することの出来る操作手段と、
一定量の画像データを別に定めるモードより、複数種類の画像データ群として区別して記憶する記憶制御手段と、
前記画像データのモードが所定モードである場合には、出力動作を即時開始する一方、前記画像データのモードが前記所定モード以外の場合には、前記画像データをメモリ残量がある限り連続して記憶するとともに、前記メモリ手段に一定量の画像データが記憶され、かつ、前回の出力時から所定時間を経過した時点で出力動作を開始する制御を行なう制御手段を備えたことを特徴とする画像形成装置。
【請求項９】
プリンタコントローラを介して通知された画像データを一時的にメモリに記憶し、このメモリに記憶された画像データに基づく画像を印字出力部に出力する画像形成装置において、
画像データを記憶するメモリ手段と、
記憶された複数の画像データを順番に出力する出力手段と、
出力された画像データを印刷する印刷手段と、
それぞれ格納された用紙の紙種を検出する紙種検出手段を有する複数の給紙手段と、
前記給紙手段より検出された紙種毎に定着温度を変更する制御を有する定着制御手段と、
前記給紙手段の中から任意の給紙手段を選択する給紙選択手段と、
前記給紙選択手段を用いて紙種ごとに出力する枚数を設定することの出来る操作手段と、
一定量の画像データを別に定めるモードより、複数種類の画像データ群として区別して記憶する記憶制御手段と、
前記画像データのモードが所定モードである場合には、出力動作を即時開始する一方、前記画像データのモードが前記所定モード以外の場合には、前記画像データをメモリ残量がある限り連続して記憶するとともに、前記メモリ手段に一定量の画像データが記憶され、かつ、指定された時刻に出力動作を開始する制御を行なう制御手段を備えたことを特徴とする画像形成装置。
【請求項１０】
前記モードとはカラーモード別であり、前記所定モードがデフォルトカラーモード以外であることを特徴とする請求項８または請求項９記載の画像形成装置。
【請求項１１】
前記モードとは解像度別であり、前記所定モードがデフォルト解像度以外であることを特徴とする請求項８または請求項９記載の画像形成装置。
【請求項１２】
前記モードとは紙種毎の定着温度別であり、前記所定モードがデフォルト定着温度以外であることを特徴とする請求項８または請求項９記載の画像形成装置。
【発明の詳細な説明】
【技術分野】
【０００１】
本発明は、プリンタコントローラを介して通知された画像データを一時的にメモリに記憶し、このメモリに記憶された画像データに基づく画像を印字出力部に出力する画像形成装置に関する。
【背景技術】
【０００２】
従来、プリンタコントローラを介して通知された画像データを一時的にメモリに記憶し、このメモリに記憶された画像データに基づく画像を印字出力部に出力する画像形成装置では、例えば、特許文献１に開示されているもののように、プリントデータが搭載されている記憶装置の記憶容量が所定のページ数を越えた時及び所定時間以上経過した時に印刷の開始を行うようにしたものが提案されている。
【特許文献１】特開２０００−２３３５２７号公報
【発明の開示】
【発明が解決しようとする課題】
【０００３】
しかしながら、このような従来装置では、複数の印刷モードのプリントデータが保存されている場合などは、せっかく一括して印刷動作が行なわれるにも関わらず、目標とする定着温度に差がある場合に発生する定着プレ回転動作や、解像度が違うプリントデータが混在している場合には、ポリゴンモータを再起動しなければならない等、必ずしも印刷動作が最適化しているとは言えない状態であった。
【０００４】
本発明は、かかる実情に鑑みてなされたものであり、印刷動作を最適化することができる画像形成装置を提供すること目的とする。
【課題を解決するための手段】
【０００５】
本発明は、プリンタコントローラを介して通知された画像データを一時的にメモリに記憶し、このメモリに記憶された画像データに基づく画像を印字出力部に出力する画像形成装置において、画像データを記憶するメモリ手段と、記憶された複数の画像データを順番に出力する出力手段と、出力された画像データを印刷する印刷手段と、それぞれ格納された用紙の紙種を検出する紙種検出手段を有する複数の給紙手段と、前記給紙手段より検出された紙種毎に定着温度を変更する制御を有する定着制御手段と、前記給紙手段の中から任意の給紙手段を選択する給紙選択手段と、前記給紙選択手段を用いて紙種ごとに出力する枚数を設定することの出来る操作手段と、前記画像データをメモリ残量がある限り連続して記憶するとともに、前記メモリ手段に一定量の画像データが記憶されない限り、出力動作を開始しない制御を行なう制御手段を備え、一定量の画像データを別に定めるモードより、複数種類の画像データ群として区別して記憶することができるようにしたものである。
【０００６】
また、プリンタコントローラを介して通知された画像データを一時的にメモリに記憶し、このメモリに記憶された画像データに基づく画像を印字出力部に出力する画像形成装置において、画像データを記憶するメモリ手段と、記憶された複数の画像データを順番に出力する出力手段と、出力された画像データを印刷する印刷手段と、それぞれ格納された用紙の紙種を検出する紙種検出手段を有する複数の給紙手段と、前記給紙手段より検出された紙種毎に定着温度を変更する制御を有する定着制御手段と、前記給紙手段の中から任意の給紙手段を選択する給紙選択手段と、前記給紙選択手段を用いて紙種ごとに出力する枚数を設定することの出来る操作手段と、前記画像データをメモリ残量がある限り連続して記憶するとともに、前記メモリ手段に一定量の画像データが記憶され、かつ、前回の出力時から所定時間を経過した時点で出力動作を開始する制御を行なう制御手段を備え、一定量の画像データを別に定めるモードより、複数種類の画像データ群として区別して記憶するようにしたものである。
【０００７】
また、プリンタコントローラを介して通知された画像データを一時的にメモリに記憶し、このメモリに記憶された画像データに基づく画像を印字出力部に出力する画像形成装置において、画像データを記憶するメモリ手段と、記憶された複数の画像データを順番に出力する出力手段と、出力された画像データを印刷する印刷手段と、それぞれ格納された用紙の紙種を検出する紙種検出手段を有する複数の給紙手段と、前記給紙手段より検出された紙種毎に定着温度を変更する制御を有する定着制御手段と、前記給紙手段の中から任意の給紙手段を選択する給紙選択手段と、前記給紙選択手段を用いて紙種ごとに出力する枚数を設定することの出来る操作手段と、前記画像データをメモリ残量がある限り連続して記憶するとともに、前記メモリ手段に一定量の画像データが記憶され、かつ、指定した時刻に出力動作を開始する制御を行なう制御手段を備え、一定量の画像データを別に定めるモードより、複数種類の画像データ群として区別して記憶することができるようにしたものである。
【０００８】
また、前記モードとはカラーモード別である。
【０００９】
また、前記モードとは解像度別である。
【００１０】
また、前記モードとは紙種毎の定着温度別である。
【００１１】
また、前記モードとは本体に接続されているオプションユニットの使用の有無別である。
【００１２】
また、プリンタコントローラを介して通知された画像データを一時的にメモリに記憶し、このメモリに記憶された画像データに基づく画像を印字出力部に出力する画像形成装置において、画像データを記憶するメモリ手段と、記憶された複数の画像データを順番に出力する出力手段と、出力された画像データを印刷する印刷手段と、それぞれ格納された用紙の紙種を検出する紙種検出手段を有する複数の給紙手段と、前記給紙手段より検出された紙種毎に定着温度を変更する制御を有する定着制御手段と、前記給紙手段の中から任意の給紙手段を選択する給紙選択手段と、前記給紙選択手段を用いて紙種ごとに出力する枚数を設定することの出来る操作手段と、一定量の画像データを別に定めるモードより、複数種類の画像データ群として区別して記憶する記憶制御手段と、前記画像データのモードが所定モードである場合には、出力動作を即時開始する一方、前記画像データのモードが前記所定モード以外の場合には、前記画像データをメモリ残量がある限り連続して記憶するとともに、前記メモリ手段に一定量の画像データが記憶され、かつ、前回の出力時から所定時間を経過した時点で出力動作を開始する制御を行なう制御手段を備えたものである。
また、プリンタコントローラを介して通知された画像データを一時的にメモリに記憶し、このメモリに記憶された画像データに基づく画像を印字出力部に出力する画像形成装置において、画像データを記憶するメモリ手段と、記憶された複数の画像データを順番に出力する出力手段と、出力された画像データを印刷する印刷手段と、それぞれ格納された用紙の紙種を検出する紙種検出手段を有する複数の給紙手段と、前記給紙手段より検出された紙種毎に定着温度を変更する制御を有する定着制御手段と、前記給紙手段の中から任意の給紙手段を選択する給紙選択手段と、前記給紙選択手段を用いて紙種ごとに出力する枚数を設定することの出来る操作手段と、一定量の画像データを別に定めるモードより、複数種類の画像データ群として区別して記憶する記憶制御手段と、前記画像データのモードが所定モードである場合には、出力動作を即時開始する一方、前記画像データのモードが前記所定モード以外の場合には、前記画像データをメモリ残量がある限り連続して記憶するとともに、前記メモリ手段に一定量の画像データが記憶され、かつ、指定された時刻に出力動作を開始する制御を行なう制御手段を備えたものである。
【００１３】
また、前記モードとはカラーモード別であり、前記所定モードがデフォルトカラーモード以外である。
【００１４】
また、前記モードとは解像度別であり、前記所定モードがデフォルト解像度以外である。
【００１５】
また、前記モードとは紙種毎の定着温度別であり、前記所定モードがデフォルト定着温度以外である。
【発明の効果】
【００１６】
したがって、本発明によれば、効率の良い印刷動作を行うことができる。
【発明を実施するための最良の形態】
【００１７】
以下、添付図面を参照しながら、本発明の実施の形態を詳細に説明する。
【００１８】
図１は、本発明の一実施例にかかるネットワーク対応カラー画像形成装置の構成例を示している。
【００１９】
同図において、システム制御部１は、このネットワーク対応カラー画像形成装置の各部の制御処理、および、印刷処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク対応カラー画像形成装置に固有な各種の情報を記憶するためのものであり、時計回路４は、現在時刻情報を出力するものである。
【００２０】
カラープリンタユニット６は、タンデム型のカラー画像形成装置を構成するものであり、バッファメモリ７は、カラープリンタユニット６で印刷するカラー画像データを一時保存するためのものである。
【００２１】
操作表示部８は、このネットワーク対応カラー画像形成装置を操作するためのもので、各種の操作キー、および、各種の表示器からなる。
【００２２】
画像処理部９は、カラー画像に対して所定の符号化／復号化処理を行ったり、変倍処理やその他の種々の画像処理を実現するためのものであり、磁気ディスク装置１０は、画像データや、このネットワーク対応カラー画像形成装置に実装されている各種ソフトウェア等の各種ファイルデータを記憶するためのものである。
【００２３】
ローカルエリアネットワークインターフェース回路１１は、このネットワーク対応カラー画像形成装置をローカルエリアネットワーク（図示略）に接続するためのものであり、ローカルエリアネットワーク伝送制御部１２は、ローカルエリアネットワークを介して、他のデータ端末装置との間で種々のデータをやりとりするための各種所定のプロトコルスイートの通信制御処理を実行するためのものである。
【００２４】
ホストインタフェース回路１３は、ホストコンピュータ装置（図示略）へ接続して、ホストコンピュータ装置との間で種々のデータをやりとりするためのものである。
【００２５】
これらの、システム制御部１、システムメモリ２、パラメータメモリ３、時計回路４、カラープリンタユニット６、バッファメモリ７、操作表示部８、画像処理部９、磁気ディスク装置１０、ローカルエリアネットワーク伝送制御部１２、および、ホストインタフェース回路１３は、内部バス１４に接続されており、これらの各要素間でのデータのやりとりは、主としてこの内部バス１４を介して行われている。
【００２６】
ここで、本実施例において、基本的には、ローカルエリアネットワークに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００２７】
図２は、カラープリンタユニット６の画像形成系の一例を示している。この画像形成系は、複数の色成分の画像を形成する色成分画像形成部を、中間転写ベルトの移動方向に沿って配列し、この複数の色成分画像形成部で形成する色成分の画像を中間転写ベルトに順次重ねることで、その中間転写ベルト上にカラー画像を形成するタンデム型カラー画像形成手段を有している。また、図示していないが、カラープリンタユニット６は、複数の用紙を給紙可能な給紙部を備えており、また、その給紙部には、おのおのの給紙トレイ（図示略）に収容されている用紙の紙種を検出する紙種センサが設けられている。
【００２８】
同図において、中間転写ベルト２１は、搬送ローラ２２，２３，２４に巻回されており、矢印ＲＡ方向に速度Ｖで無限駆動される。この中間転写ベルト２１の搬送ローラ２３，２４の間には、搬送方向の上流から下流に向けて、シアン色成分の画像を形成するシアン色成分画像形成部２６、マゼンタ色成分の画像を形成するマゼンタ色成分画像形成部２７、イエロー色成分の画像を形成するイエロー色成分画像形成部２８、および、黒色成分の画像を形成する黒色成分画像形成部２９がそれぞれ配設されている。
【００２９】
シアン色画像形成部２６において、感光体ドラム２６ａは、帯電器２６ｂにより表面が帯電され、光書込ユニット３０から出力されるシアン画像光３０ａによりその表面が露光されて、シアン画像に対応した静電潜像が形成される。この静電潜像は、現像器２６ｃによりトナー現像され、転写器２６ｄにより、中間転写ベルト２１の所定の転写位置の表面に転写される。また、感光体ドラム２６ａ上の残留電荷は除電装置２６ｅにより除電される。
【００３０】
また、マゼンタ色画像形成部２７において、感光体ドラム２７ａは、帯電器２７ｂにより表面が帯電され、光書込ユニット３０から出力されるマゼンタ画像光３０ｂによりその表面が露光されて、シアン画像に対応した静電潜像が形成される。この静電潜像は、現像器２７ｃによりトナー現像され、転写器２７ｄにより、中間転写ベルト２１の所定の転写位置の表面に転写される。これにより、中間転写ベルト１の所定の転写位置の表面には、シアン色成分トナー画像とマゼンタ色成分トナー画像が重ねて転写されることとなる。また、感光体ドラム２７ａ上の残留電荷は除電装置２７ｅにより除電される。
【００３１】
また、イエロー色画像形成部２８において、感光体ドラム２８ａは、帯電器２８ｂにより表面が帯電され、光書込ユニット３０から出力されるイエロー画像光３０ｃによりその表面が露光されて、イエロー画像に対応した静電潜像が形成される。この静電潜像は、現像器２８ｃによりトナー現像され、転写器２８ｄにより、中間転写ベルト２１の所定の転写位置の表面に転写される。これにより、中間転写ベルト２１の所定の転写位置の表面には、シアン色成分トナー画像と、マゼンタ色成分トナー画像と、イエロー色成分トナー画像が重ねて転写されることとなる。また、感光体ドラム２８ａ上の残留電荷は除電装置２８ｅにより除電される。
【００３２】
また、黒色画像形成部２９において、感光体ドラム２９ａは、帯電器２９ｂにより表面が帯電され、光書込ユニット３０から出力される黒（白黒）画像光３０ｄによりその表面が露光されて、黒（白黒）画像に対応した静電潜像が形成される。この静電潜像は、現像器２９ｃによりトナー現像され、転写器２９ｄにより、中間転写ベルト２１の所定の転写位置の表面に転写される。これにより、中間転写ベルト２１の所定の転写位置の表面には、シアン色成分トナー画像と、マゼンタ色成分トナー画像と、イエロー色成分トナー画像と、黒色成分トナー画像が重ねて転写され、それにより、フルカラートナー画像が中間転写ベルト２１の所定の転写位置の表面上で完成することとなる。また、感光体ドラム２９ａ上の残留電荷は除電装置２９ｅにより除電される。
【００３３】
一方、給紙部（図示略）のいずれかの給紙トレイに載置されている転写紙３１は、給紙ローラ対（図示略）により一番上のものがピックアップされて矢印ＲＢ方向へ搬送され、中間転写ベルト２１の表面のフルカラートナー画像と位置合わせされた状態で、搬送ローラ２２に当接する転写ローラ３２へと送り出され、転写ローラ３２により、中間転写ベルト２１の表面に形成されたフルカラートナー画像がその表面に転写される。
【００３４】
転写後の転写紙３１は、定着器３３へ送り込まれ、その表面に転写されたフルカラートナー画像が熱定着されて、排紙部へ搬送されて排出される。また、定着器３３には、温度センサが配設されており、給紙部の紙種センサで検出された転写紙３１の紙種に応じた定着温度に制御される。
【００３５】
また、転写紙３１の搬送速度は、中間転写ベルト２１の移動速度Ｖと等しく、また、各感光体ドラム２６ａ，２７ａ，２８ａ，２９ａの表面の線速度は、移動速度Ｖに等しい。
【００３６】
また、シアン色成分画像形成部２６、マゼンタ色成分画像形成部２７、イエロー色成分画像形成部２８、および、黒色成分画像形成部２９のそれぞれの転写位置は、中間転写ベルト２１の上での間隔はＬ１に設定されている。すなわち、各感光体ドラム２６ａ，２７ａ，２８ａ，２９ａの間隔は、Ｌ１である。
【００３７】
また、転写紙３１の間隔Ｌ２は、間隔Ｌ１よりも大きい値に設定されている。また、転写紙３１は、例えば、Ａ４サイズの用紙を長辺と直交方向に給紙（ＬＥＦ（Ｌｏｎｇ  Ｅｄｇｅ  Ｆｅｅｄ））されている。
【００３８】
図３は、ホスト装置から印刷データが送信されて、印刷動作を行う際の処理の一例を示している。
【００３９】
まず、そのときに蓄積印刷モードが設定されているかどうかを調べる（判断１０１）。判断１０１の結果がＹＥＳになるときには、１ページ分の印刷データを入力し（処理１０２）、その入力した印刷データを、印刷モード別に仕分けてバッファメモリ７へ蓄積する（処理１０３）。
【００４０】
ここで、印刷モード別とは、例えば、カラーモード別（搬送線速別）、あるいは、解像度別（ポリゴンモータの回転数別）、あるいは、定着目標温度別（定着ユニットのプレ回転動作の有無）、あるいは、オプションユニットの使用の有無別（オプションユニットモータ回転）などををあらわす。
【００４１】
そして、バッファメモリ７に蓄積可能なページ数の蓄積が完了したかどうかを調べ（判断１０４）、判断１０４の結果がＮＯになるときには、処理１０２へ戻り、次のページの入力処理を行う。
【００４２】
また、判断１０４の結果がＹＥＳになるときには、印刷動作を実行する（処理１０５）。
【００４３】
一方、判断１０１の結果がＮＯになるときには、処理１０５へ進み、印刷動作を実行する。
【００４４】
なお、上述した処理では、蓄積印刷モードが設定されているか否かを判断し、その判断結果に従って処理を切換えるようにしているが、この判断を行わないようにすることもできる。
【００４５】
一般に、省エネの観点から見ると、１回の印刷動作につき、できるだけ多くの枚数を印刷することができれば、効率的である。本実施例では、１ｔｏ１で複数回（ｎ回）の印刷要求が来るような場合に、一度の印刷動作にまとめて出力を行なうことにより、印刷にかかる総電力やユニットの寿命を節約することができ、印刷をまとめる条件を複数設けることにより、きめ細かい制御ができる為、大幅な省エネ効果を得ることができる。
【００４６】
また、前記基準値をカラーモードとすることにより、きめ細かい制御ができる為、各カラー別ユニットの寿命を節約することができる為、大幅な省エネ効果を得ることができる。
【００４７】
また、前記条件を画像の解像度とすることにより、きめ細かい制御ができる為、書込み制御に使用するポリゴンモータやレーザーユニットの寿命を節約することができる為、大幅な省エネ効果を得ることができる。
また、前記条件を紙種毎に設定されている定着目標温度毎とすることにより、連続したヒータ制御ができる為、定着ユニットの使用する電力の無駄を押さえることが出来、大幅な省エネ効果を得ることができる。
【００４８】
また、前記条件を使用するオプションユニット毎にすることにより、連続した搬送制御ができる為、オプションユニットの使用する電力や寿命を押さえることが出来、、大幅な省エネ効果を得ることができる。
【００４９】
次に、本発明の他の実施例について説明する。本実施例は、上述した実施例と同じ構成を備えるので、構成についての説明は省略する。また、本実施例では、図４（ａ）に示すような印刷間隔時間、印刷指定時刻、および、標準モード情報がユーザなどにより指定されて、例えば、システムメモリ２またはパラメータメモリ３に保存される。
【００５０】
また、標準モード情報は、同図（ｂ）に示すように、デフォルトカラーモード、デフォルト解像度、デフォルト定着温度、および、デフォルトオプションユニットの各値を持つ。
【００５１】
図５は、この場合に、ホスト装置から印刷データが送信されて、印刷動作を行う際の処理の一例を示している。
【００５２】
まず、そのときに蓄積印刷モードが設定されているかどうかを調べる（判断２０１）。判断２０１の結果がＹＥＳになるときには、１ページ分の印刷データを入力し（処理２０２）、その入力した印刷データを、印刷モード別に仕分けてバッファメモリ７へ蓄積する（処理２０３）。
【００５３】
ここで、印刷モード別とは、例えば、カラーモード別（搬送線速別）、あるいは、解像度別（ポリゴンモータの回転数別）、あるいは、定着目標温度別（定着ユニットのプレ回転動作の有無）、あるいは、オプションユニットの使用の有無別（オプションユニットモータ回転）などををあらわす。
【００５４】
そして、バッファメモリ７に蓄積可能なページ数の蓄積が完了したかどうかを調べ（判断２０４）、判断２０４の結果がＮＯになるときには、処理２０２へ戻り、次のページの入力処理を行う。
【００５５】
また、判断２０４の結果がＹＥＳになるときには、前回の印刷動作から、印刷間隔時間で指定された時間が経過するまで待ち（判断２０５のＮＯループ）、その後、印刷動作を実行する（処理２０６）。
【００５６】
一方、判断２０１の結果がＮＯになるときには、処理２０５へ進み、印刷動作を実行する。
【００５７】
図６は、この場合に、ホスト装置から印刷データが送信されて、印刷動作を行う際の処理の他の例を示している。
【００５８】
まず、そのときに蓄積印刷モードが設定されているかどうかを調べる（判断３０１）。判断３０１の結果がＹＥＳになるときには、１ページ分の印刷データを入力し（処理３０２）、その入力した印刷データを、印刷モード別に仕分けてバッファメモリ７へ蓄積する（処理３０３）。
【００５９】
ここで、印刷モード別とは、例えば、カラーモード別（搬送線速別）、あるいは、解像度別（ポリゴンモータの回転数別）、あるいは、定着目標温度別（定着ユニットのプレ回転動作の有無）、あるいは、オプションユニットの使用の有無別（オプションユニットモータ回転）などををあらわす。
【００６０】
そして、バッファメモリ７に蓄積可能なページ数の蓄積が完了したかどうかを調べ（判断３０４）、判断３０４の結果がＮＯになるときには、処理３０２へ戻り、次のページの入力処理を行う。
【００６１】
また、判断３０４の結果がＹＥＳになるときには、印刷指定時刻を経過するまで待ち（判断３０５のＮＯループ）、その後、印刷動作を実行する（処理３０６）。
【００６２】
一方、判断３０１の結果がＮＯになるときには、処理３０５へ進み、印刷動作を実行する。
【００６３】
図７は、この場合に、ホスト装置から印刷データが送信されて、印刷動作を行う際の処理の別な例を示している。この場合、印刷ページを仕分ける際に採用するモードは、カラーモードである。
【００６４】
まず、そのときに蓄積印刷モードが設定されているかどうかを調べる（判断４０１）。判断４０１の結果がＹＥＳになるときには、１ページ分の印刷データを入力し（処理４０２）、その入力した印刷データのカラーモードが、設定されているデフォルトカラーモードと異なるものであるか否かを調べる（判断４０３）。判断４０３の結果がＮＯになる場合、すなわち、デフォルトカラーモードの場合には、その入力した印刷データを、印刷モード別に仕分けてバッファメモリ７へ蓄積する（処理４０４）。
【００６５】
そして、バッファメモリ７に蓄積可能なページ数の蓄積が完了したかどうかを調べ（判断４０５）、判断４０５の結果がＮＯになるときには、処理４０２へ戻り、次のページの入力処理を行う。
【００６６】
また、判断４０５の結果がＹＥＳになるときには、印刷指定時刻を経過するまで待ち（判断４０６のＮＯループ）、その後、印刷動作を実行する（処理４０７）。
【００６７】
一方、判断４０３の結果がＹＥＳになるとき、および、判断４０１の結果がＮＯになるときには、処理４０７へ進み、印刷動作を実行する。
【００６８】
なお、この場合、判断４０６で指定時刻を経過するまで待機しているが、前回の印刷動作から所定時間を経過するまで待機するようにしてもよい。
【００６９】
このようにして、この場合には、例外的にデフォルトカラーモード以外のカラーモードの印刷データを入力した場合には、即時印刷するようにしているので、作業効率を向上することができる。
【００７０】
図８は、この場合に、ホスト装置から印刷データが送信されて、印刷動作を行う際の処理のさらに別な例を示している。この場合、印刷ページを仕分ける際に採用するモードは、解像度モードである。
【００７１】
まず、そのときに蓄積印刷モードが設定されているかどうかを調べる（判断５０１）。判断５０１の結果がＹＥＳになるときには、１ページ分の印刷データを入力し（処理５０２）、その入力した印刷データの解像度モードが、設定されているデフォルト解像度モードと異なるものであるか否かを調べる（判断５０３）。判断５０３の結果がＮＯになる場合、すなわち、デフォルト解像度モードの場合には、その入力した印刷データを、印刷モード別に仕分けてバッファメモリ７へ蓄積する（処理５０４）。
【００７２】
そして、バッファメモリ７に蓄積可能なページ数の蓄積が完了したかどうかを調べ（判断５０５）、判断５０５の結果がＮＯになるときには、処理５０２へ戻り、次のページの入力処理を行う。
【００７３】
また、判断５０５の結果がＹＥＳになるときには、印刷指定時刻を経過するまで待ち（判断５０６のＮＯループ）、その後、印刷動作を実行する（処理５０７）。
【００７４】
一方、判断５０３の結果がＹＥＳになるとき、および、判断５０１の結果がＮＯになるときには、処理５０７へ進み、印刷動作を実行する。
【００７５】
なお、この場合、判断５０６で指定時刻を経過するまで待機しているが、前回の印刷動作から所定時間を経過するまで待機するようにしてもよい。
【００７６】
このようにして、この場合には、例外的にデフォルト解像度モード以外の解像度モードの印刷データを入力した場合には、即時印刷するようにしているので、作業効率を向上することができる。
【００７７】
図９は、この場合に、ホスト装置から印刷データが送信されて、印刷動作を行う際の処理のまたさらに別な例を示している。この場合、印刷ページを仕分ける際に採用するモードは、定着温度モードである。
【００７８】
まず、そのときに蓄積印刷モードが設定されているかどうかを調べる（判断６０１）。判断６０１の結果がＹＥＳになるときには、１ページ分の印刷データを入力し（処理６０２）、その入力した印刷データの定着温度（定着目標温度）モードが、設定されているデフォルト定着温度モードと異なるものであるか否かを調べる（判断６０３）。判断６０３の結果がＮＯになる場合、すなわち、デフォルト定着温度モードの場合には、その入力した印刷データを、印刷モード別に仕分けてバッファメモリ７へ蓄積する（処理６０４）。
【００７９】
そして、バッファメモリ７に蓄積可能なページ数の蓄積が完了したかどうかを調べ（判断６０５）、判断６０５の結果がＮＯになるときには、処理６０２へ戻り、次のページの入力処理を行う。
【００８０】
また、判断６０５の結果がＹＥＳになるときには、印刷指定時刻を経過するまで待ち（判断６０６のＮＯループ）、その後、印刷動作を実行する（処理６０７）。
【００８１】
一方、判断６０３の結果がＹＥＳになるとき、および、判断６０１の結果がＮＯになるときには、処理６０７へ進み、印刷動作を実行する。
【００８２】
なお、この場合、判断６０６で指定時刻を経過するまで待機しているが、前回の印刷動作から所定時間を経過するまで待機するようにしてもよい。
【００８３】
このようにして、この場合には、例外的にデフォルト定着温度モード以外の定着温度モードの印刷データを入力した場合には、即時印刷するようにしているので、作業効率を向上することができる。
【００８４】
図１０は、この場合に、ホスト装置から印刷データが送信されて、印刷動作を行う際の処理のさらに別な例を示している。この場合、印刷ページを仕分ける際に採用するモードは、オプションユニットモードである。
【００８５】
まず、そのときに蓄積印刷モードが設定されているかどうかを調べる（判断７０１）。判断７０１の結果がＹＥＳになるときには、１ページ分の印刷データを入力し（処理７０２）、その入力した印刷データのオプションユニットモード（使用するオプションユニット）が、設定されているデフォルトオプションユニットモードと異なるものであるか否かを調べる（判断７０３）。判断７０３の結果がＮＯになる場合、すなわち、デフォルトオプションユニットモードの場合には、その入力した印刷データを、印刷モード別に仕分けてバッファメモリ７へ蓄積する（処理７０４）。
【００８６】
そして、バッファメモリ７に蓄積可能なページ数の蓄積が完了したかどうかを調べ（判断７０５）、判断７０５の結果がＮＯになるときには、処理７０２へ戻り、次のページの入力処理を行う。
【００８７】
また、判断７０５の結果がＹＥＳになるときには、印刷指定時刻を経過するまで待ち（判断７０６のＮＯループ）、その後、印刷動作を実行する（処理７０７）。
【００８８】
一方、判断７０３の結果がＹＥＳになるとき、および、判断７０１の結果がＮＯになるときには、処理７０７へ進み、印刷動作を実行する。
【００８９】
なお、この場合、判断７０６で指定時刻を経過するまで待機しているが、前回の印刷動作から所定時間を経過するまで待機するようにしてもよい。
【００９０】
このようにして、この場合には、例外的にデフォルトオプションユニットモード以外のオプションユニットモードの印刷データを入力した場合には、即時印刷するようにしているので、作業効率を向上することができる。
【００９１】
なお、上述した実施例では、ネットワーク対応画像形成装置に本発明を適用した場合について説明したが、本発明は、それ以外の画像形成装置についても同様にして適用することができる。
【図面の簡単な説明】
【００９２】
【図１】ネットワーク対応カラー画像形成装置の構成例を示したブロック図。
【図２】カラープリンタユニット６の画像形成系の一例を示した概略構成図。
【図３】ホスト装置から印刷データが送信されて、印刷動作を行う際の処理の一例を示したフローチャート。
【図４】ユーザにより設定される各種情報の一例を示した概略図。
【図５】ホスト装置から印刷データが送信されて、印刷動作を行う際の処理の他の例を示したフローチャート。
【図６】ホスト装置から印刷データが送信されて、印刷動作を行う際の処理のさらに他の例を示したフローチャート。
【図７】ホスト装置から印刷データが送信されて、印刷動作を行う際の処理の別な例を示したフローチャート。
【図８】ホスト装置から印刷データが送信されて、印刷動作を行う際の処理のさらに別な例を示したフローチャート。
【図９】ホスト装置から印刷データが送信されて、印刷動作を行う際の処理のさらに別な例を示したフローチャート。
【図１０】ホスト装置から印刷データが送信されて、印刷動作を行う際の処理のさらに別な例を示したフローチャート。
【符号の説明】
【００９３】
１  システム制御部
２  システムメモリ
３  パラメータメモリ
６  カラープリンタユニット
７  バッファメモリ
【図１】
2007083699.tif 000003
【図２】
2007083699.tif 000004
【図３】
2007083699.tif 000005
【図４】
2007083699.tif 000006
【図５】
2007083699.tif 000007
【図６】
2007083699.tif 000008
【図７】
2007083699.tif 000009
【図８】
2007083699.tif 000010
【図９】
2007083699.tif 000011
【図１０】
2007083699.tif 000012